(57)【要約】【課題】        わずかなスペースで、多数の蚊又は、蠅等を捕獲でき衛生的でスマートに処分できる害虫捕獲器具を提供する。【解決手段】  従来の蚊、蠅等の捕獲器具等は、テープ、板状のものは害虫接着面が露出している為、取替え時等に手、衣服に付着し不衛生であり物によっては、人やペットにも悪影響を与えかねなかった、本発明は、上記従来品の欠点を解決するためになされたものであり、目的の害虫の好むエサを器具内部の誘導エサ用容器に入れ、害虫を容器内に誘導し、透明素材の胴体部内に塗布した接着剤で捕獲しようとするものである。本器具は取替え使用することにより、安全で正確、衛生的に蚊、蠅等の捕獲ができ、子供たちが視ても、ザンコク的に見えない、また使い捨てのため、環境にも優しく、簡単な構造でかつ低コストで蚊、蠅等の捕獲が可能となる。【選択図】        図１
2004298203.tif 000002
【特許請求の範囲】
【請求項１】
わずかなスペースで、各種ウイルスを媒介する蚊・蝿等を、誘導エサを使用することにより、一毛打尽に捕獲でき、且つ、使い捨て容器の為、低コストで環境に優しくスマートに処分できる捕獲器具を提供する。
【発明の詳細な説明】
【技術分野】
【０００１】
本発明は、わずかなスペースで、多数の蚊又は、蠅等を捕獲でき衛生的でスマートに処分できる害虫捕獲器具の構造に関するものである。
【背景技術】
【０００２】
従来の技術は、接着面をもつテープまたは、板状のもの及び、薬品噴霧をするもので、虫を無差別に殺傷するものは製品化されているが、本発明の各種ウイルスを媒介する蚊・蝿等を、集中的に捕獲でき、わずかなスペースで、一毛打尽にでき、使いきり容器の為、低コストで環境に優しくスマートに処分できるものは製品化されたものは存在しなかった。
【特許文献１】実用新案公開平７−３００７４
【発明の開示】
【発明が解決しようとする課題】
【０００３】
従来の同様の目的を持った製品は、蚊・蠅等を捕獲する面がむき出しであるため、不衛生であり、残虐的にも見え、また、取替え等の時、手や衣類に付着し手間が掛っていた、また、薬剤噴霧の場合は人やペットにも悪影響を及ぼす恐れがあった。本製品は薬剤を使用せず、環境に配慮しつつ低コストでスマートに害虫を駆除しようとするものである。
【課題を解決するための手段】
【０００４】
透明素材の容器に接着剤を塗布し、容器内部に誘導エサ用容器を設置することにより、蚊・蝿等を容器内部に誘導し、内部に塗布した接着剤で蚊・蝿等を捕獲する。
【発明の効果】
【０００５】
従来の蚊、蠅等の捕獲器具等は、テープ、板状のものは害虫接着面が露出している為、取替え時等に手、衣服に付着し不衛生であり物によっては、人やペットにも悪影響を与えかねなかった、本発明は、上記従来例の欠点を解決するためになされたものであり、目的の害虫の好むエサを取替え使用することにより、安全で正確、衛生的に蚊、蠅等の捕獲ができ、子供たちが視ても、ザンコク的に見えない、また使い捨てのため、環境にも優しく、簡単な構造でかつ低コストで蚊、蠅等の捕獲が可能となる。
【実施例】
【０００６】
実施例を図１、図２、図３、図４、図５を用いて説明する。
図１は本発明を適用した器具の概要を示すための、誘導エサ用容器設置前の全体構造図である。図２は本発明を適用した器具の立面図である。図３は本発明を適用した器具の断面図である。図４は誘導エサ用容器の平面図及び断面図である。図５は上部フタの平面図及び立面図である。
【０００７】
本体１の下部２に複数の空間３を設け、３の上部に捕獲虫落下防止棚４を設ける、透明素材の胴体５内面部分に粘着剤６を塗布し、上部フタをする。器具内部の中央下部に誘導エサ用容器７を設置し、目的害虫を誘導し捕獲する。
【図面の簡単な説明】
【０００８】
【図１】当発明を適用した使い捨て蚊・蝿等捕獲器具の誘導エサ用容器設置前の全体構造図である。
【図２】当発明を適用した使い捨て蚊・蝿等捕獲器具の立面図である。
【図３】当発明を適用した使い捨て蚊・蝿等捕獲器具の断面図である。
【図４】当発明を適用した使い捨て蚊・蝿等捕獲器具の誘導エサ用容器の平面図及び断面図である。
【図５】当発明を適用した使い捨て蚊・蝿等捕獲器具の上部フタの平面図及び立面図である。
【符号の説明】
【０００９】
１  本体
２  捕獲虫落下防止棚取付位置
３  害虫侵入口
４  捕獲虫落下防止棚
５  胴体部
６  粘着剤
７  誘導エサ用容器
８  上部フタ
【図１】
2004298203.tif 000003
【図２】
2004298203.tif 000004
【図３】
2004298203.tif 000005
【図４】
2004298203.tif 000006
【図５】
2004298203.tif 000007
【手続補正書】
【提出日】平成16年9月1日(2004.9.1)
【手続補正１】
【補正対象書類名】特許請求の範囲
【補正対象項目名】請求項１
【補正方法】変更
【補正の内容】
【請求項１】
わずかなスペースで、各種ウイルスを媒介する蚊・蝿等を、誘導エサを使用することにより、一毛打尽に捕獲でき、且つ、使い捨て容器の為、低コストで環境に優しくスマートに処分でき、尚且つ、吊り下げ可能な捕獲器具を提供する。
【手続補正２】
【補正対象書類名】明細書
【補正対象項目名】０００４
【補正方法】変更
【補正の内容】
【０００４】
本体胴体部に接着剤を塗布し、本体下部に誘導エサ用容器を設置することにより、蚊・蝿等を容器内部に誘導し、内部に塗布した接着剤で蚊・蝿等を捕獲する。尚、本体を吊り下げて使用する場合は捕獲虫落下防止棚を誘導エサ用容器として兼用する。又、捕獲する害虫の種類により胴体部の透明度を変更する。
【手続補正３】
【補正対象書類名】明細書
【補正対象項目名】０００５
【補正方法】変更
【補正の内容】
【０００５】
従来の蚊、蠅等の捕獲器具等は、テープ、板状のものは害虫接着面が露出している為、取替え時等に手、衣服に付着し不衛生であり物によっては、人やペットにも悪影響を与えかねなかった、本発明は、上記従来例の欠点を解決するためになされたものであり、目的の害虫の好むエサを取替え使用することにより、安全で正確、衛生的に蚊、蠅等の捕獲ができ、子供たちが視ても、ザンコク的に見えない、また使い捨てのため、環境にも優しく、簡単な構造でかつ低コストで蚊、蠅等の捕獲が可能となる。又、屋内だけでなく、折りたたみ式のため旅行・アウトドア等で使用するのにも最適である。
【手続補正４】
【補正対象書類名】明細書
【補正対象項目名】０００６
【補正方法】変更
【補正の内容】
【０００６】
実施例を図１、図２、図３、図４を用いて説明する。
図１は本発明を適用した器具の正面図である。図２は本発明を適用した器具の断面図である。図３は誘導エサ用容器の平面図及び断面図である。図４は本発明を適用した器具の平面図である。
【手続補正５】
【補正対象書類名】明細書
【補正対象項目名】０００７
【補正方法】変更
【補正の内容】
【０００７】
本体１の下部に複数の空間２を設け、２の上部に捕獲虫落下防止棚３を設ける、胴体４内面部分に接着シートを貼付又は粘着剤を塗布する。器具内部の中央下部に誘導エサ用容器５を設置し、目的害虫を誘導し捕獲する。また、吊り下げ時は吊り下げリング６を使用し、捕獲虫落下防止棚３内に誘導エサを入れる。
【手続補正６】
【補正対象書類名】明細書
【補正対象項目名】０００８
【補正方法】変更
【補正の内容】
【０００８】
【図１】当発明を適用した使い捨て蚊・蝿等捕獲器具の正面図である。
【図２】当発明を適用した使い捨て蚊・蝿等捕獲器具の断面図である。
【図３】当発明を適用した使い捨て蚊・蝿等捕獲器具の誘導エサ用容器の平面図及び断面図である。
【図４】当発明を適用した使い捨て蚊・蝿等捕獲器具の平面図である。
【手続補正７】
【補正対象書類名】明細書
【補正対象項目名】０００９
【補正方法】変更
【補正の内容】
【０００９】
１  本体
２  害虫侵入口
３  捕獲虫落下防止棚
４  胴体部
５  誘導エサ用容器
６  吊り下げリング
【手続補正８】
【補正対象書類名】図面
【補正対象項目名】全図
【補正方法】変更
【補正の内容】
【図１】
2004298203.tif 000008
【図２】
2004298203.tif 000009
【図３】
2004298203.tif 000010
【図４】
2004298203.tif 000011